【事件の表示】
　平成　５年特許願第２６６３６０号「内視鏡用洗浄消毒装置」拒絶査定不服審判事件〔平成７年５月９日出願公開、特開平７−１１６１１７〕について、次のとおり審決する。
【結　論】
　本件審判の請求は、成り立たない。
【理　由】
１．本願発明
　本願は、平成５年１０月２５日の出願であって、その請求項１ないし２に係る発明は、平成１３年１０月１２日付、平成１４年３月１８日付、平成１４年８月８日付及び平成１４年１０月２２日付の手続補正書により補正された明細書及び図面の記載からみて、その特許請求の範囲の請求項１ないし２に記載されたとおりのものと認められるところ、その請求項１は次のとおりである。（以下、「本願発明」という。）
「【請求項１】　洗浄消毒槽に内視鏡を設置し、洗浄、濯ぎ、消毒、乾燥の手順で、内視鏡を自動的に洗浄・消毒する内視鏡用洗浄消毒装置において、
　前記洗浄時に前記内視鏡を洗浄する洗浄方法であって、少なくとも前記内視鏡の外表面に洗浄水を噴射するシャワー洗浄、前記内視鏡に超音波振動を付与する超音波洗浄、洗浄槽内に貯留された液中に前記内視鏡を設置しこの内視鏡に泡を作用させる泡洗浄とを含む複数の洗浄方法に基づく洗浄工程の中から、少なくとも２つ以上の洗浄方法による洗浄工程の遂行を制御駆動する制御手段と、
　前記複数の洗浄方法に基づく洗浄工程の中から特定の洗浄方法に基づく洗浄工程と、この工程に引き続き行い該特定の洗浄方法に基づく洗浄工程とは異なる洗浄方法に基づく洗浄工程とを組み合わせる洗浄モードの複数を予め設定する洗浄モード設定手段と、　前記複数の洗浄方法に基づく洗浄工程の中から少なくとも１つ以上の洗浄工程を選択する選択手段と、
　を有し、
　前記制御手段は、前記選択手段による選択結果に基づき選択された洗浄工程を実行させると共に、この選択された洗浄工程と組み合わることが前記モード設定手段により設定された洗浄工程を引き続き実行させるように制御することを特徴とする内視鏡用洗浄消毒装置。」
　
２．引用刊行物の記載事項
　原査定の拒絶の理由に引用した刊行物（特開平５−９５９０１号公報）には、次の各事項が記載されているとともに、対応して図１、図２の図示がある。
（ａ）第１実施例の内視鏡洗浄装置について、
　２頁〜３頁の段落【０００７】〜段落【００１６】に第１の実施例について、
（ａ１）図１が内視鏡洗浄装置の概念的な構成を示し、図２がその主な部品の動作を表したタイムチャートであること（【０００７】）、
（ａ２）図１において、洗浄槽１には洗浄消毒対象である内視鏡２が設置され、洗浄槽１内の上部位置には洗浄水を噴霧する方式の洗浄水ノズル３と消毒液ノズル４が設けられ、洗浄水ノズル３には洗浄水管路５を介して給水タンク６が接続され、消毒液ノズル４には消毒液管路１１を通じて消毒液タンク１２が接続されていること（【０００８】〜【０００９】）、
（ａ３）前記洗浄槽１には、洗剤ディスペンサ１４が接続され、洗浄槽１内にはヒータ１５が設置されているとともに、チャンネル注入用チューブ１７を通じて前記内視鏡２のチャンネル（管路）に接続されるようになっているチャンネル注入用口金１６が設けられ、このチャンネル注入用口金には前記洗浄水管路５の途中から分岐する第１のチャンネル管路２１、電磁式の切換弁２２を介して送気用チャンネル管路２３に通じる第２のチャンネル管路２４および循環用チャンネル管路２５が、電磁式の切換え弁２６を介して接続され、切換弁２６の選択により、その各チャンネル管路２１，２４，２５のいずれかを択一的に選択してチャンネル注入用口金１６に接続するようになっていること（【００１０】〜【００１１】）、
（ａ４）送気用チャンネル管路２３は切換弁２２を介して洗浄槽１の送気口３０にも接続され、エヤー取込み管３６から取り込まれた外気がエヤーポンプ４２、電磁式切換弁４３を介し選択供給されること（【００１１】、【００１４】、【００１５】）、
（ａ５）前記循環用チャンネル管路２５の途中には循環ポンプ２８が設けられ、循環用チャンネル管路２５の流入端側は電磁式の切換弁２９を介して洗浄槽１の底部に設けられた排出口３１に接続され、さらに、排出口３１には前記切換弁２９を介して排出管路３２と消毒液戻し管路３３が接続され、切換弁２９は循環用チャンネル管路２５、排出管路３２および消毒液戻し管路３３を択一的に選択してそれを排出口３１を連通させるようになっているとともに、前記消毒液戻し管路３３は洗浄槽１から消毒液を消毒液タンク１２に戻すように消毒液タンク１２に接続されていること（【００１２】〜【００１３】）、
　
（ｂ）内視鏡洗浄装置での洗浄消毒各工程の作用
「【００１７】次に、この内視鏡洗浄装置によって行われる内視鏡２の洗浄消毒の各工程の作用を、図２のタイムチャートを参照しながら説明する。内視鏡２の洗浄消毒は、洗浄・消毒・すすぎ・乾燥の各工程によって行われる。」
　
（ｃ）洗浄工程
（ｃ１）注水式の洗浄
「【００１８】（洗浄工程）　まず、給水弁８を開き、水道水（洗浄水）を給水タンク６に取り入れて貯溜する。ついで、洗浄水ポンプ７の動作で洗浄水管路５を通じて洗浄水ノズル３に供給し、洗浄槽１内における内視鏡２に向けて噴射し、その内視鏡２の外表面を洗浄する。
【００１９】一方、これと同時に前記洗浄水管路５の途中から分岐する第１のチャンネル管路２１から切換弁２６を通じてチャンネル注入用口金１６およびチャンネル注入用チューブ１７を通じて前記内視鏡２のチャンネルに内も、水道水が送り込まれ、そのチャンネル内を洗浄する。このようにして内視鏡２の内外がそれぞれ洗浄される。
【００２０】この際、切換弁２９が排出管路３２側に切り換わっているとともに排出ポンプ３４が動作しており、洗浄槽１内の汚水は排出口３１から排出管路３２を通じて排出される。すなわち、給水源から給水される水道水を一旦給水タンク６に取り入れて貯溜した後、順次洗浄水ポンプ７で送り出し、内視鏡２の内外を注水式に洗浄して順次排出する。このように注水式で内視鏡２の汚れを大雑把に洗浄する。」
（ｃ２）貯留式の洗浄
「【００２１】この後、切換弁２９が循環用チャンネル管路２５側に切り換わり、排出ポンプ３４の動作が停止する。一方、洗浄水ポンプ７は動作を継続し、洗浄槽１内に洗浄水を貯溜する。内視鏡２が浸漬する水位まで貯溜されると、図示しない水位センサ等がその水位を検出して洗浄水ポンプ７の動作を停止させる。
【００２２】ついで、洗浄槽１内の洗浄水に洗剤ディスペンサ１４から適宜量の濃縮洗剤が注入され、洗浄槽１内の洗浄水を適宜濃度の洗剤液（洗浄水）を生成する。さらに、洗浄効果を高めるため、ヒータ１５が動作して洗剤液を例えば５０度Ｃ程度に加温する。また、切換弁２６が循環用チャンネル管路２５側に切り換わるとともに循環ポンプ２８が作動し、洗浄槽１内の洗剤液を循環することにより内視鏡２の内外を加温した洗剤液の流れで強制的に洗浄し、その洗浄効果を向上させている。つまり、貯溜式の洗浄を行う。」
（ｃ３）気泡を用いた洗浄
「【００２３】このとき、切換弁４１をバイパス管３９側に位置させるとともに、もう一方の切換弁４３を送気用チャンネル管路２３側に切り換えてエヤーポンプ４２を作動し、エヤー取込み管３６からバイパス管３９および送気用チャンネル管路２３を通じて送気口３０から洗浄槽１内に空気を注入し、この気泡の物理的作用で洗浄効果を向上させる。」
（ｃ４）洗浄後の濯ぎ
「【００２４】一定時間経過後、切換弁２９が排出管路３２側に切り換わり、排出ポンプ３４が作動することにより洗浄槽１内の洗剤液を排出する。そして、再び洗浄槽１に洗浄水を注水式で送り込み、洗剤液を濯ぐ。この後、切換弁２２が切り替わり、エヤーポンプ４２により内視鏡２のチャンネル内に空気が送り込まれ、除水動作が行われる。これにより洗浄工程が終了する。」
　
（ｄ）洗浄工程終了後の処理
　４頁の段落【００２５】〜【００２８】に、消毒液タンク１２から消毒液ノズル４へ送られ洗浄槽１内に注入され、溜められた洗浄液に内視鏡２を浸漬し、内視鏡２の内外を循環する消毒液で消毒する消毒工程、注水式の洗浄工程と同様の動作で行うすすぎ工程、切換弁４１をエヤーヒータ３８側に切り換えてエヤー取込み管３６から取り込む空気を加温して温風とし、これを切換弁４３および送気用チャンネル管路２３を通じて送気口３０から洗浄槽１内および内視鏡２のチャンネル内に送り込んで内視鏡２の内外を乾燥する乾燥工程を行うことが記載されている。
　
（ｅ）洗浄方式の選択、組み合わせ
「【００３７】前述した実施例において、噴射式に洗浄液を噴射して行う洗浄と温い洗剤液を洗浄槽１に貯溜して内視鏡２を浸漬して行う洗浄とを選択または組み合わせる洗浄工程を構成してもよい。」
　
（ｆ）超音波振動子の付設
「【００４０】なお、浸漬洗浄または浸漬消毒を行う場合、洗浄槽１に貯溜した洗浄液または消毒液を攪拌または振動させるため、その洗浄槽１にフアンを設けたり、超音波振動子を付設したりしてもよい。」
　
（ｇ）２度洗い
「【００６３】また、前述した実施例では濯ぎ工程で使用する濯ぎ水の加熱について述べたが、これに限らず、前記濯ぎ水タンク６１を洗浄工程における予備タンクとしても使用できる。すなわち、洗浄工程では一般に２度洗いを行うが、その１度目の洗浄を行っているとき、その濯ぎ水タンク６１に洗浄水を貯溜し、洗浄水を加熱しておくのである。
【００６４】しかして、１度目の洗浄では内視鏡７７に付着した大きな汚れを落とすことが目的であり、洗浄水温度はさほど問題にならないが、２度目の洗浄では内視鏡７７に付いた細かい汚れまで落とすため、温水による洗浄が必要となる。」
　
３．本願発明と刊行物１記載の発明との対比・検討
（１）刊行物１に記載された発明
　刊行物１に記載された内視鏡洗浄装置は、洗浄槽１において洗浄だけでなく消毒も行うものであり（前記記載（ａ）、（ｄ）参照）、消毒工程に先立つ洗浄工程の最後に濯ぎを行っている（前記記載（ｃ４）参照）し、図２のタイムテーブルなどにみられる一連の切替弁や各種ポンプ等の作動を含む、洗浄工程から乾燥工程の遂行は、設定された所定の手順に従い、各工程の遂行を制御駆動する制御手段により自動的に行われるものであることは、明記はされていないものの技術常識からみて明らかである。
　そして、まず内視鏡の汚れを大雑把に洗浄するため洗浄水ノズル３から洗浄水を噴霧して洗浄、すなわち洗浄水を噴射するシャワー洗浄を行い、次いで洗浄槽内に貯留された液中に前記内視鏡を設置しこの内視鏡に泡を作用させる泡洗浄を組み合わせて行うことが記載されている。（前記（ｃ１）〜（ｃ３）、図２参照）
　さらに、洗浄槽に超音波振動子を付設することも刊行物１には記載されている（前記（ｆ）参照）から、刊行物１には、図１の装置の洗浄槽１に超音波振動子を付設し、それを作動させて洗浄槽中の洗浄液に浸漬されている被洗浄物（内視鏡）にも超音波振動を付与する超音波洗浄も行える内視鏡洗浄装置が記載されていると認められる。
　
（２）一致点、相違点
　そこで、本願発明と刊行物１に記載された発明とを対比すると、両者は、
「洗浄消毒槽に内視鏡を設置し、洗浄、濯ぎ、消毒、乾燥の手順で、内視鏡を自動的に洗浄・消毒する内視鏡用洗浄消毒装置において、
　前記洗浄時に前記内視鏡を洗浄する洗浄方法であって、少なくとも前記内視鏡の外表面に洗浄水を噴射するシャワー洗浄、前記内視鏡に超音波振動を付与する超音波洗浄、洗浄槽内に貯留された液中に前記内視鏡を設置しこの内視鏡に泡を作用させる泡洗浄とを含む複数の洗浄方法に基づく洗浄工程の中から、少なくとも２つ以上の洗浄方法による洗浄工程の遂行を制御駆動する制御手段、を有する内視鏡用洗浄消毒装置。」
である点で一致するが、次の点で相違する。
（相違点）
　本願発明が、さらに「前記複数の洗浄方法に基づく洗浄工程の中から特定の洗浄方法に基づく洗浄工程と、この工程に引き続き行い該特定の洗浄方法に基づく洗浄工程とは異なる洗浄方法に基づく洗浄工程とを組み合わせる洗浄モードの複数を予め設定する洗浄モード設定手段と、　前記複数の洗浄方法に基づく洗浄工程の中から少なくとも１つ以上の洗浄工程を選択する選択手段と、を有し、
　前記制御手段は、前記選択手段による選択結果に基づき選択された洗浄工程を実行させると共に、この選択された洗浄工程と組み合わることが前記モード設定手段により設定された洗浄工程を引き続き実行させるように制御する」ものであるのに対し、
　刊行物１に記載された発明では、そのような選択手段を有することが記載されておらず、制御手段が「前記選択手段による選択結果に基づき選択された洗浄工程を実行させると共に、この選択された洗浄工程と組み合わることが前記モード設定手段により設定された洗浄工程を引き続き実行させるように制御する」ものであることも記載されていない点。
　
（３）相違点についての検討
　内視鏡の洗浄工程で一般に１度目の大雑把な洗浄と２度目の細かな洗浄との２度の洗浄が行なわれることは刊行物１の前記記載（ｇ）に開示されているし、図１記載の装置を用いた洗浄例でも、前述の通り２つの異なる洗浄方法が組み合わされて洗浄されているものである。
　そして、洗浄液を強制循環や撹拌翼で動かして被洗浄物と接触させる洗浄、洗浄槽に付設した超音波振動子による超音波振動を被洗浄物や洗浄液に付与して洗浄する超音波洗浄、洗浄液中の被洗浄物に気体の注入により形成させた泡を作用させる泡洗浄、などは、単なるシャワー洗浄や静止的に洗浄液に浸漬するつけ置き洗いに比べて細かな汚れまで落せる洗浄効果向上させた洗浄方法として、家庭レベルから各種産業レベルにまでの種々の洗浄において周知慣用の洗浄方法にすぎず、それらの各種洗浄方法は、その洗浄方法が被洗浄物の汚れや洗浄物自体等に与える影響や洗浄後の清浄化程度などを考慮して適宜選択されているものである。
　そうすると、少なくとも前記内視鏡の外表面に洗浄水を噴射するシャワー洗浄、前記内視鏡に超音波振動を付与する超音波洗浄、洗浄槽内に貯留された液中に前記内視鏡を設置しこの内視鏡に泡を作用させる泡洗浄とを含む複数の洗浄方法を行い得る刊行物１記載の装置において、遂行可能な複数の洗浄方法に基づく洗浄工程の中から、少なくとも２つ以上の洗浄方法による洗浄工程を遂行できるように、前記複数の洗浄方法に基づく洗浄工程の中から特定の洗浄方法に基づく洗浄工程と、この工程に引き続き行い該特定の洗浄方法に基づく洗浄工程とは異なる洗浄方法に基づく洗浄工程とを組み合わせる洗浄モードの複数を予め設定する洗浄モード設定手段と、前記複数の洗浄方法に基づく洗浄工程の中から少なくとも１つ以上の洗浄工程を選択する選択手段とを有するようにし、前記制御手段に、前記選択手段による選択結果に基づき選択された洗浄工程を実行させると共に、この選択された洗浄工程と組み合わることが前記モード設定手段により設定された洗浄工程を引き続き実行させるように制御するようなことは、当業者が必要に応じ容易に設計し得る事項にすぎない。
　
４．むすび
　したがって、本願発明は、その出願前に日本国内で頒布された刊行物１に記載された発明及び周知の種々の洗浄方法に基いて当業者が容易に発明をすることができたものと認められるから、特許法第２９条第２項の規定により特許を受けることができず、請求項２に係る発明についての検討・判断を示すまでもなく、この出願は拒絶されるべきものである。
　よって、結論のとおり審決する。